(57)【要約】【課題】  優れた平坦度及び接触状態を備え、かつ端子の位置を正確に制御可能な、インサート成形による端子シートを含む同軸ケーブルコネクタを提供すること。【解決手段】  本考案の同軸ケーブルコネクタは、金属シェル１と、絶縁部材２と、インサート成形により形成された端子シート３と、下部カバー４とを含む。絶縁部材２はシリンダ２２の下方にシャーシ２１を有し、端子シート３は保持チャンバ３１１の上側に保持空間３１４を有し、金属シェル１の基底プレート１１の二つの側部はそれぞれ保持部１１１まで下方に曲げられており、該保持部１１１は当接部１１２まで内方に曲げられている。絶縁部材２は端子シート３に配置され、端子シート３及び下部カバー４は金属シェル１にて覆われている。【選択図】      図３
0003111820.tif 000002
【実用新案登録請求の範囲】
【請求項１】
同軸ケーブルコネクタにおいて、前記同軸ケーブルコネクタは、
上側にシリンダを有する絶縁部材と、前記シリンダの中央部は前記絶縁部材の上下方向に貫通する挿入孔を有することと、
金属シェルと、前記金属シェルの基底プレートは前記絶縁部材を包含するために上方に延びる連結部を備えた円形の貫通孔を有することと、
ハウジングと、可動端子と、固定端子とから構成される端子シートと、前記ハウジングの中央部は上下方向に貫通する保持チャンバを有することと、
前記ハウジングの底部に形成され、かつ前記保持チャンバの開口を保護する下部カバーと、からなり、
前記絶縁部材は前記シリンダの下側にシャーシを有し、前記端子シートは前記保持チャンバの上側に前記シャーシに対応する第一の保持空間を有し、前記金属シェルの基底プレートは前記端子シートの二つの横方向側部の適切な位置にて保持部まで下方に向かって曲げられており、前記保持部は当接部まで内方に曲げられており、前記絶縁部材は前記端子シートの上側に配置されており、前記金属シェルの前記保持部は前記端子シート及び前記下部カバーの周囲を覆い、かつ前記端子シートの可動端子及び固定端子はインサート成形により前記ハウジング内にて位置決めされる同軸ケーブルコネクタ。
【請求項２】
請求項１に記載の同軸ケーブルコネクタにおいて、
前記可動端子及び前記固定端子の各々は、前記ハウジングの横方向側部から突出する延長部を有し、前記延長部ははんだ付け部まで曲げられており、前記はんだ付け部は前記ハウジングの横方向側部の基底端部から内方に曲げられている同軸ケーブルコネクタ。
【請求項３】
請求項１に記載の同軸ケーブルコネクタにおいて、
前記端子シートは、前記ハウジングの上側の適切な位置に少なくとも一つの位置合わせ用突出部を有し、かつ前記金属シェルは前記基底プレートの適切な位置に少なくとも一つの位置合わせ用凹部を有し、前記位置合わせ用凹部の数は前記位置合わせ用突出部の数と同一である同軸ケーブルコネクタ。
【請求項４】
請求項１に記載の同軸ケーブルコネクタにおいて、
前記絶縁部材のシャーシは円形であり、前記シャーシは前記端子シートの横方向側部に隣接した垂直部が切り取られている同軸ケーブルコネクタ。
【請求項５】
請求項１に記載の同軸ケーブルコネクタにおいて、
前記絶縁部材の前記シリンダの外壁は少なくとも一つの留め金ストリップを有し、前記金属シェルの前記連結部の内壁は少なくとも一つの留め金溝を有し、前記留め金溝の数は前記留め金ストリップの数と同一である同軸ケーブルコネクタ。
【請求項６】
請求項１に記載の同軸ケーブルコネクタにおいて、
前記下部カバーの横方向側部は少なくとも一つの留め金タブを有し、前記端子シートの前記ハウジングの底部は、前記下部カバーの形状と相補的な形状を有する第二の保持空間を備える同軸ケーブルコネクタ。
【考案の詳細な説明】
【技術分野】
【０００１】
本考案は同軸ケーブルコネクタに関し、より詳細には、端子シートの端子部がインサート成形によりハウジング内に配置されるコネクタに関する。
【背景技術】
【０００２】
科学及び技術は日々変化し、製品のデザインの変化はますます想像を超えるものとなっているが、この変化には依然としてある傾向が存在する。大きさにおける主要な傾向といえば、重量はより軽く、厚みはより薄く、長さはより短く、かつ大きさはより小さくすべきであるという必要性が存在する。しかしながら、機能がより多様化し、かつ構造がより複雑になるにつれ、上述の四つの変化の傾向を達成することはより困難になってきている。情報産業において、同軸コネクタは携帯電話において一般的に使用されているが、新世代の携帯電話は数センチメートルより薄く、従って、該携帯電話において使用される種々のコネクタはその大きさの最小化を余儀なくされ、その結果として、そのデザイン構造も多様化している。
【０００３】
例えば、中国特許出願第０１１２５１９８．０号に開示されているような同軸コネクタは、第一の樹脂部材と、第二の樹脂部材と、固定端子と、可動端子と、外側端子とを含み、第一の樹脂部材は凹部を有し、該凹部に、嵌合される同軸コネクタの中心接触部が挿入される。第二の樹脂部材は第一の樹脂部材とともに絶縁ケースを形成し、固定端子及び可動端子は該第一及び第二の樹脂部材の間に挟持される。固定端子及び可動端子が第一及び第二の樹脂部材間において正確かつ確実な位置にて配置されるために、固定端子及び可動端子は樹脂部材の一方のリブを保持するために半円形の凹部を備える。各リブが、固定端子及び可動端子を保持するためにドーム型中に溶接装置のヘッドチップにより溶接固定される。他方の樹脂部材は、該第一及び第二の樹脂部材が相応して相互に係合するように、該ドーム型に対応する反転したドーム型の凹部を有する。この種の構造及びアセンブリ形態は、固定端子及び可動端子を第一及び第二の樹脂部材間に配置した場合、固定の正確度は増大するが、製造及び組立に要する工程及び時間もまた増大する。実際に、樹脂部材のリブはヘッドチップにより溶接固定されるので、はんだ付け固定後に端子がシフトする場合、仮に僅かなシフトであっても、ヘッドチップにより熱的に変形される溶融材料が該端子を斜めに固定させることになる。これはまた、不良品の割合を増大させる。
【０００４】
同軸コネクタはサイズが非常に小さいので、はんだ付けする際において、はんだペーストに含まれる融剤がサイフォン現象により第一及び第二の樹脂部材中に吸引される。同軸コネクタは、はんだペーストに含まれる融剤が絶縁ケース内に浸透することを回避するために、樹脂部材上にＶ字型の横断面を備えた溝を有するものの、この種のコネクタは大きさが非常に小さいので、はんだペースト中に含有される融剤が絶縁ケースに浸透することを完全に回避することは困難である。
【０００５】
更に、外側端子はその四隅上にある脚部にて絶縁ケースを固定する、即ち、コネクタは四隅を曲げる正確さを制御する必要がある。しかも、該コネクタは四隅でＰＣＢに連結されるが、このことは平坦度において望ましくない結果を容易に与えることになる。
【考案の開示】
【考案が解決しようとする課題】
【０００６】
本考案の主たる目的は、インサート成形により形成された端子シートを含む同軸ケーブルコネクタであり、かつはんだ付けの際にはんだペーストのサイフォン現象による端子の不十分な連結を回避するコネクタを提供することにある。
【０００７】
本考案の別の目的は、インサート成形により形成された端子シートを含む同軸ケーブルコネクタであり、かつ各端子の位置が正確に制御できるコネクタを提供することにある。
本考案の更なる目的は、インサート成形により形成された端子シートを含む同軸ケーブルコネクタであり、かつ金属シェルの二つの側部の保持部を介して完全な平坦度を達成できるコネクタを提供することにある。
【課題を解決するための手段】
【０００８】
本考案の同軸ケーブルコネクタは金属シェルと、絶縁部材と、端子シートと、下部カバーとを含む。絶縁部材は上側にシリンダを有し、該シリンダの中心部は該絶縁部材の上下方向に貫通する挿入孔を有する。金属シェルの基底プレートは、該絶縁部材を包含するために接続部を上方に延びる連結部を備えた円形貫通孔を有する。端子シートはハウジング、可動端子及び固定端子から構成され、該可動端子及び固定端子はインサート成形によりハウジング内に配置される。ハウジングの中央部は、上下方向に貫通する保持チャンバを有する。可動端子及び固定端子の各々は、該ハウジングの横方向側部から突出する延長部をそれぞれ有する。該延長部はＰＣＢではんだ付けされるはんだ付け部内に折り曲げられる。該はんだ付け部はハウジングの横方向側部の基底端部から内方に曲げられている。可動端子及び固定端子は、それぞれ該延長部の他方の端部にて保持チャンバ中に延伸する。下部カバーは、ハウジングの底部に形成され、かつ保持チャンバの開口部を保護する。
【０００９】
絶縁部材はシリンダの下側にシャーシを有し、該端子シートの保持チャンバの上側は上記シャーシに対応する保持空間を有する。金属シェルの基底プレートは端子シートの二つの側部の適切な位置にて保持部内に下向きに曲げられており、該保持部は当接部まで内方に曲げられている。絶縁部材は端子シートの上側に配置され、該金属シェルの保持部は端子シートと下部カバーの周囲を覆う。
【００１０】
該端子シートはハウジングの上側の適切な位置に少なくとも一つの位置合わせ用突出部を有し、かつ金属シェルは基底プレートの適切な位置に少なくとも一つの位置合わせ用凹部を有し、該位置合わせ用凹部の数と該位置合わせ用突出部の数とが同じであることが好ましい。
【００１１】
また、該絶縁部材のシャーシは円形であり、かつ該シャーシは該端子シートの横方向側部に隣接して垂直部が切り取られた形状とすることもできる。
更に、絶縁部材のシリンダの外壁が少なくとも一つの留め金ストリップを有し、金属シェルの連結部の内壁が少なくとも一つの留め金溝を有し、該留め金ストリップの数と該留め金溝の数とが同じであることが好ましい。
【００１２】
更に、下部カバーの横方向側部は少なくとも一つの留め金タブを有し、端子シートのハウジングの底部が該下部カバーの形状と相補的な形状を有する第二の保持空間を備えていることが好ましい。
【考案の効果】
【００１３】
本考案の同軸ケーブルコネクタは上述のような構成を備えることにより、はんだ付けの際にはんだペーストのサイフォン現象による端子の不十分な連結を回避することができ、各端子の位置が正確に制御され、しかも金属シェルの二つの側部の保持部を介して完全な平坦度を達成することができる。
【考案を実施するための最良の形態】
【００１４】
本考案の構造上及び技術上の特徴が当業者にとってより明確となるように、好ましい実施形態を図面とともに以下に記載する。
図１、２には本考案の好ましい実施形態の組立斜視図が、図３にはその分解斜視図が示されている。同軸ケーブルコネクタは、金属シェル１と、絶縁部材２と、端子シート３と、下部カバー４とを含む。絶縁部材２の上側にはシリンダ２２が設けられ、該シリンダ２２の中央には該絶縁部材２の上下方向に貫通する挿入孔２３が備えられている。金属シェル１の基底プレート１１は円形の貫通孔１２を備え、該貫通孔１２は絶縁部材２を包含するために上向きに延びる連結部１３を有する。本考案において、絶縁部材２のシリンダ２２の外壁は少なくとも一つの留め金ストリップ２２１を更に含み、かつ金属シェル１の連結部１３の内壁は、少なくとも一つの留め金溝（図示しない）を有し、上述の留め金ストリップ２２１の数は該留め金溝の数と同じである。更に、該留め金溝の形状は留め金ストリップ２２１の形状と相補的である。留め金位置において、該留め金ストリップ２２１は、該留め金溝内に摺動され、嵌合される。図４に示されるように、端子シート３は、ハウジング３１と可動端子３２と固定端子３３とからなり、該可動端子３２及び固定端子３３はインサート成形によりハウジング３１内に配置される。該可動端子３２及び固定端子３３の主要本体は充填用の複数の固定孔３２３，３３３を備え、かつ可動端子３２及び固定端子３３は、ハウジングが鋳型内にて射出成形された後に固定される。ハウジング３１の中央部は上下方向に貫通する保持チャンバ３１１を有する。更に、可動端子３２及び固定端子３３の各々は該ハウジング３１の横方向側部から突出される延長部３２１，３３１をそれぞれ有し、延長部３２１，３３１の各々はそれぞれ、ＰＣＢにてはんだ付けされるためにはんだ付け部３２２，３３２に折り曲げられている。本考案において、可動端子３２及び固定端子３３のはんだ付け部３２２，３３２はハウジング３１の横方向側部３１３の底部から内方に曲げられている。可動端子３２及び固定端子３３の主要本体に沿ったはんだ付け部３２２，３３２はそれぞれ、ハウジング３１の横方向側部３１３を留めるためにプライヤー構造を形成し、可動端子３２及び固定端子３３はそれぞれ、該可動端子３２及び固定端子３３の延長部３２１，３３１の相対向する端部がそれぞれ保持チャンバ３１１内に延伸している。下部カバー４は、ハウジング３１の底部側に形成された保持チャンバ３１１の開口を保護している。
【００１５】
絶縁部材２はシリンダ２２の下側にシャーシ２１を有し、端子シート３の保持チャンバ３１１の上方部は上述のシャーシ２１に対応する第一の保持空間３１４を有し、それにより、該絶縁部材２のシャーシ２１は端子シート３の第一の保持空間３１４上に配置される。金属シェル１の基底プレート１１は、端子シート３の二つの横方向側部の適切な位置にて保持部１１１へ向けて下方に曲げられており、該保持部１１１は同様に、当接部１１２に向けて内方に曲げられている。絶縁部材２は端子シート３の上側に配置されており、金属シェル１の保持部１１１は端子シート３及び下部カバー４の周囲を覆っている。本考案において、絶縁部材２のシャーシ２１は円形であり、該シャーシ２１は更に、端子シート３の横方向側部に隣接した垂直部２１１が切り取られている。垂直部２１１は組立時に方向を識別するために使用され、かつ保持部１１１が曲げられる際に絶縁部材２のシャーシ２１が金属シェル１から止められることを回避する。
【００１６】
端子シート３は更に、ハウジング３１の頂部の適切な位置に少なくとも一つの位置合わせ用突出部３１２を有し、金属シェル１は、該金属シェルの基底プレート１１の適切な位置に少なくとも一つの位置合わせ用凹部１１３を有する。該位置合わせ用凹部１１３の数は上述の位置合わせ用突出部３１２の数と同じである。凹部１１３の形状は、位置合わせ用突出部３１２の形状と相補的であり、それにより、位置合わせ用凹部１１３が位置合わせ用突出部３１２を収容するように構成されている。
【００１７】
図５を参照すると、下部カバー４の横方向側部は少なくとも一つの留め金タブ４１を有し、端子シート３のハウジング３１の底部は第二の保持空間３１５を有し、該第二の保持空間３１５の形状は下部カバー４の形状と相補的であり、それにより、下部カバー４は第二の保持空間３１５と係合され得る。
【００１８】
可動端子３２及び固定端子３３は予めインサート成形によりハウジング３１内に配置される。従って、本考案の組立時において、下部カバー４及び端子シート３は絶縁部材と直接連結され、この連結体が金属シェル１の内部に配置されるのみとなる。図６を参照すると、本考案の同軸ケーブルコネクタの製造工程の概略図が示されている。下部カバー４と、端子シート３と、絶縁部材２と、金属シェル１とがキャリアストリップの形態にて各々製造されており、各キャリアストリップが、複数の下部カバー４、複数の端子シート３、複数の絶縁部材２、又は複数の金属シェル１とその他の構成部品とを有している。組立工程は、上下を逆にした位置にキャリアストリップを配置した状態にて実施される。即ち、下部カバー４のキャリアストリップは端子シート３のキャリアストリップの上側に配置され、端子シート３のキャリアストリップは絶縁部材２のキャリアストリップの上側に配置される。下部カバー４は端子シート３の第二の保持空間３１５に固定して配置され、同様に、端子シート３は絶縁部材２のシャーシ２１に固定して配置されるので、絶縁部材２、端子シート３及び下部カバー４から構成される連結体が形成される。次に、絶縁部材２のシリンダ２２が金属シェル１の貫通孔１２内に配置され、次いで、該金属シェル１の保持部１１１が内側に曲げられ、それにより保持部１１１は最終製品内に連結体を保持する。そして、最後に、最終製品がキャリアストリップから切断され、複数の最終製品が一回のみで形成される。
【００１９】
本考案において開示された構成及び実施形態は例示的なものであり、本考案を限定するものではない。本考案の精神を逸脱することなく、本考案の記載に基づく当業者により実施される任意の修正もまた、本考案と同等であると見なされるとともに本考案の請求の範囲に包含されるものである。
【図面の簡単な説明】
【００２０】
【図１】本考案の同軸ケーブルコネクタの組立状態の斜視図である。
【図２】本考案の同軸ケーブルコネクタの別の角度からの組立状態の斜視図である。
【図３】本考案の同軸ケーブルコネクタの分解斜視図である。
【図４】本考案の同軸ケーブルコネクタの端子シートの分解斜視図である。
【図５】本考案の同軸ケーブルコネクタの端子シートと下部カバーとの連結を説明する分解斜視図である。
【図６】本考案の同軸ケーブルコネクタの製造工程を示す概略図である。
【符号の説明】
【００２１】
１…金属シェル、２…絶縁部材、３…端子シート、４…下部カバー、１１…基底プレート、１１１…保持部、１１２…当接部、１１３…位置合わせ用凹部、１２…貫通孔、１３…連結部、２１…シャーシ、２１１…垂直部、２２…シリンダ、２２１…留め金ストリップ、２３…挿入孔、３１…ハウジング、３１１…保持チャンバ、３１２…位置合わせ用突出部、３１３…横方向側部、３１４…第一の保持空間、３１５…第二の保持空間、３２…可動端子、３３…固定端子、３２３，３３３…固定孔、４１…留め金タブ。
【図１】
0003111820.tif 000003
【図２】
0003111820.tif 000004
【図３】
0003111820.tif 000005
【図４】
0003111820.tif 000006
【図５】
0003111820.tif 000007
【図６】
0003111820.tif 000008